(57)【要約】【課題】  カードの左半面紙上に、主に人間や動物等の顔面とその背景を描写したイラストの表面にフレームを設け、その内枠に、顔面の目部と口顎部を設けた部分画を表記した透明シートを設け、その上面に、目部と口顎部を切り抜いて透視孔にした顔面画を表記した透明シートカバーを設けて、カードの開閉時に顔面のイラストが動くようにしたフレーム付きカードを提供する。【解決手段】  ２つ折りにしたカードの左半面紙上に、主に人間や動物等の顔面とその背景を描写したイラストを表記した表面に段差を有するフレームを設け、顔面の目部と口顎部の部分画を設けた透明シートと、目部と口顎部を透視孔にした透明シートカバーを設け、透明シートを薄肉ゴム紐にてフレーム上部から吊るし、透明シートの下端部に設けた可動用引き糸の先端を右半面紙上に固定し、フレームの上面に装飾フレームを設けて、カードの開閉時に顔面が変化するようにしたイラストが動くフレーム付きカード。【選択図】図１
2006187888.tif 000002
【特許請求の範囲】
【請求項１】
１枚の長方形型の台紙を２つ折りにした真ん中の折り線（１）から右半面紙（２）に、ハート型等の形状に切り抜いた透視孔（３）を設け、左半面紙（４）上に、主に人間や動物等の顔面とその背景を描写したイラスト（５）とフレーム取付部（６）を表記し、フレーム取付部（６）に段差（７）を有するフレーム（８）を設け、フレーム（８）の内枠のイラスト（５）の表面に、目部（９）と口顎部（１０）等の部分画を設けた透明シート（１１）を設け、その上端部に固定した伸縮性のある薄肉ゴム紐（１２）の先端を、フレーム（８）の上部横枠中央部に設けた凸版形状の固定部（１３）に固定し、透明シート（１１）の下端部に設けた用孔（１４）に連結した可動用引き糸（１５）の先端に設けた固定板（１６）を、フレーム（８）の下部横枠中央部に設けたスペース（１７）を通して右方へ引っ張った状態を保ちながら、折り線（１）に最も近い右半面紙（２）上の可動用引き糸取付部（１８）に固定し、その上部をラベル（１９）にてカバーし、段差（７）の上面に、目部（２０）と口顎部（２１）等を透視孔にした顔面画を設けた透明シートカバー（２２）を固定し、フレーム（８）の上部に、支持台（２３）を有する装飾フレーム（２４）を設けたことを特徴とするイラストが動くフレーム付きカード。
【発明の詳細な説明】
【技術分野】
【０００１】  本発明は、２つ折りにしたカードの左半面紙上に、主に人間や動物等の顔面と背景を描写したイラストを設け、その上面に、目部と口顎部等の部分画を設けた透明シートと目部と口顎部等を透視孔にした顔面画を設けた透明シートカバーを設けたフレームを設け、透明シートの上端部に薄肉ゴムを取り付けて上部から吊るし、下端部に可動用引き糸を取り付けて、カードを開くと、イラストの顔面の目と口が動いて、顔の表情が変化するイラストが動くフレーム付きカードに関するものである。
【背景技術】
【０００２】  従来、２つ折りのカードには、単に写真やイラストが印刷されたものや、しかけ絵本やカードのように、閉じた間に、飛び出すしかけを作り、各種の切り抜いた絵柄を貼りこみ、カードを開くと、突然、絵は命をもったように動いたりするものがあった。また、カードに特殊印刷された画像が見る角度によって違った像に見えるものがあった。
【発明の開示】
【発明が解決しようとする課題】
【０００３】そのために、次のような問題があった。
（イ）カードを開いて見る写真やイラストは単純な描写のものが多く、特に人間や動物等の顔の表情には変化がなくアキがくるものが多かった。
（ロ）しかけ絵本やカードを開くと、その間に貼りこまれた、いろいろな場面、人や動物、飾りが飛び出すものがあるが、人間や動物等の顔の表情には変化がない。
（ハ）特殊印刷されたカードを違った角度から見るとき、画像がちらついて見えるなどの欠点があった。
本発明は、これらの問題を解決するためになされたものである。
【課題を解決するための手段】
【０００４】  １枚の長方形型の台紙を２つ折りにした真ん中の折り線から右半面紙に、ハート型等の形状に切り抜いた透視孔を設け、左半面紙上に、主に人間や動物等の顔面とその背景を描写したイラストとフレーム取付部を表記したものを設ける。そのイラストの表面に、段差を有するフレームを設け、そのフレームの内枠のイラストの上面に、目部と口顎部等の部分画を設けた透明シートの上端部に固定した伸縮性のある薄肉ゴム紐の先端を、フレームの上部横枠中央部に設けた凸版形状の固定部に固定し、下端部に設けた用孔に可動用引き糸を連結し、その先端に固定板を設けた可動用引き糸を、フレームの下部横枠中央部に設けたスペースを通して右方へ引っ張った状態を保ちながら、折り線に最も近い右半面紙上の可動用引き糸取付部に、固定板を接着剤にて固定し、その上部をラベルにてカバーする。そして、透明シートの上面に、目部と口顎部等を透視孔にした顔面画を設けた透明シートカバーを設ける。そして、フレームの上部に、支持台を有する装飾フレームを設ける。以上を特徴とするイラストが動くフレーム付きカードである。
【発明の効果】
【０００５】  ２つ折りのカードのフレームに描写された喜怒哀楽の顔面の表情が、カードを開いたときに、違った表情に変化することがインパクトになり、画像によっては感動や勇気さえ与えることが出来る。また、二重の透明シートの使用により、複数の顔面を描写し、その表情を変化できるだけでなく、画像を立体的に見せることができるなどの効果がある。また、同様に、この方法を用いて、フレーム付きの鑑賞用の絵画や、宣伝や広告用に利用できる利点がある。
【発明を実施するための最良の形態】
【０００６】  以下、本発明の実施の形態について説明する。
（イ）右半面紙（２）に、ハート型等に切り抜いた透視孔（３）を設け、折り線（１）に最も近い右半面紙（２）上に可動用引き糸取付部（１８）を、左半面紙（４）上に、主に人間や動物等の顔面とその背景を描写したイラスト（５）とフレーム取付部（６）を表記する。
（ロ）フレーム（８）は、硬質な木材、または硬質合成樹脂等の素材から成形し、透明シートカバー（２２）を設けるための段差（７）と、上部横枠中央部に、薄肉ゴム紐（１２）の先端を固定する凸版形状の固定部（１３）と、下部横枠中央部に、可動用引き糸（１５）を通すためのスペース（１７）を設け、そのスペース（１７）の右方を、カードの開閉時に、可動用引き糸（１５）との摩擦を軽減するために右方を湾曲形状にする。
（ハ）（ロ）の形状を設けたフレーム（８）をフレーム取付部（６）に設ける。フレーム（８）の固定部に接着剤を添付した上部に剥離紙を設け、取り付けの際に取り除いて固定することが適切である。
（ニ）カードの開閉時に、目部（９）と口顎部（１０）等の部分が変化するように，表記した透明シート（１１）の上端部に伸縮性のある薄肉ゴム紐（１２）を固定し、下端部の用孔（１４）に連結した可動用引き糸（１５）の先端に固定板（１６）を設ける。可動用引き糸（１５）と固定板（１６）の取り付けの長さは、図５に示すように、開閉時の透明シート（１１）の可動位置ａとフレームｂとの間隔、αの長さによって異なり、目部と口顎部の適切な位置によって調整する。特に、図４に示すように、透明シートカバー（２２）に設けた顔面の口顎部（２１）の上唇部を残し、下方に垂直に切り抜いて透視孔にし、カードを閉じた時は、透明シート（１１）の口顎部の下唇部が透明シートカバー（２２）に設けた顔面の口顎部（２１）の上唇と合致した状態にし、カードを開いた時の開口の大きさは適切に調整する。（例えば、本発明の発明者にかかる特許願、平成１０年−２９７４９８号には装飾玩具の顔面の表情の変化機構と及び該装置に用いる音声機器と作動方法のような装飾玩具の技術にも関示されているので参照）。フレーム（８）に透明シート（１１）を取り付ける前に、可動の長さを決定した後で、固定板（１６）を可動用引き糸（１５）の先端に固定する。固定板（１６）の素材は軽い薄切りにした木材を利用し、可動用引き糸（１５）の先端を固定板（１６）に絡めて強力な接着剤にて固定しておく。
（ホ）フレーム（８）の内枠に表記されたイラスト（５）の上面に、透明シート（１１）を設け、透明シート（１１）の上端部に設けた薄肉ゴム紐（１２）の先端をフレーム（８）の固定部（１３）に固定し、下端部の用孔（１４）に連結した可動用引き糸（１５）の先端に設けた固定板（１６）をスペース（１７）に通し、右方へ引っ張った状態を保ちながら、図５に示すように、透明シート（１１）の位置、ａからｂの位置に移動したことを確認しながら、折り線（１）に最も近い右半面紙（２）上の可動用引き糸取付部（１８）に固定板（１６）を瞬間接着剤のような強力な接着剤にて固定し、その上部をラベル（１９）にてカバーする。
（ヘ）フレーム（８）の段差（７）上に、図３に示すように、目部（１７）と口顎部（１８）等を透視孔にした顔面画を設けた透明シートカバー（２２）を設ける。
（ト）フレーム（８）の上面に、接着剤を添付した支持台（２３）を有する装飾フレーム（２４）を固定する。装飾フレーム（２４）の内枠の幅は、透明シート（１１）の可動状態が見えないようにする大きさに調整する。支持台（２３）は、装飾フレーム（２４）を固定する位置決めを容易にするためである。
本発明は以上のような構成で、これを使用するときは、カードを閉じた状態で封筒に入れて郵送する。または直接人に手渡し、図４に示すように、カードを閉じた状態で、右半面紙（２）に設けたハート型等の形状に切り抜いた透視孔（３）から、主に動物や人間等の顔面画が見えることによって好奇心を呼ぶ。このときの顔面の表情が、例えば、悲しげな顔面の表情とする。そして、このカードを受け取った本人が、カードを開いて、図６のように、笑った顔面表情の変化を見て、微笑んだり、びっくりしたりする。左半面紙（４）に設けられた装飾フレーム（２４）の下方部には伝言、宣伝、広告等の記入の空白覧としても利用できます。カードの開閉時の構成を説明すると、図５に示すように、カードを閉じた時は、目部と口顎部等の部分画を設けた透明シート（１１）は、可動用引き糸（１５）が動かないため、透明シートカバー（２２）から見る顔面の目部（２０）と口顎部（２１）は不動状態にあり、カードを開いた時は、透明シート（１１）は、可動用引き糸（１５）が動くことによって、図５に示すように、透明シート（１１）の位置、ａからｂへ移動した場合は、図７に示すような状態になり、図６に示すような顔面表情に変化する。顔面を横向きのイラスト（５）にした場合で、カードを閉じた時は、図８に示す表情になり、カードを開いた時は、図９に示す表情に変化する。
【実施例１】
【０００７】  図１１に示すように、１枚の長方形型の台紙を２つ折りにした真ん中の折り線（２５）から下半面紙（２６）に透視孔（２７）を設け、上半面紙（２８）上のフレーム取付部に、段差（２９）と、下部横枠中央部に固定部（３０）とスペース（３１）を設けたフレーム（３２）を固定し、透明シート（３３）の下端部に固定した薄肉ゴム紐（３４）の先端を固定部（３０）に固定し、可動用引き糸（１５）の代りに設けた可動用操作片（３５）をスペース（３１）に挿入し、フレーム（３２）の段差（２９）上に透明シートカバー（３６）を固定する。カードを開いた時は、図１１に示すように、可動用操作片（３５）の先端は下半面紙（２６）上にあり、カードを折りたたむと、図１０に示すように、可動用操作片（３５）の先端が押しあげられて透明シート（３３）が上方へ移動し、目部と口顎部の位置が変わり、顔面表情が変化する。
【図面の簡単な説明】
【０００８】
【図１】  本発明の一部破断正面図
【図２】  本発明の一部破断側面図
【図３】  本発明の分解斜視図
【図４】  本発明のカードを閉じた時の斜視図
【図５】  本発明のカードを閉じた時の顔面変化機構図
【図６】  本発明のカードを開いた時の斜視図
【図７】  本発明のカードを開いた時の顔面変化機構図
【図８】  本発明のカードを閉じた時の横顔イラストの斜視図
【図９】  本発明のカードを開いた時の横顔イラストの斜視図
【図１０】  本発明の他の実施例を示すカードを閉じた時の一部破断正面図
【図１１】  本発明の他の実施例を示すカードを開いた時の一部破断正面図】
【符号の説明】
【０００９】  １、２５  折り線
２  右半面紙
３、２７  透視孔
４  左半面紙
５  イラスト
６  フレーム取付部
７、２９  段差
８、３２  フレーム
９  目部
１０  口顎部
１１、３３  透明シート
１２、３４  薄肉ゴム紐
１３、３０  固定部
１４  用孔
１５  可動用引き糸
１６  固定板
１７、３１  スペース
１８  可動用引き糸取付部
１９  ラベル
２０  目部
２１  口顎部
２２、３６  透明シートカバー
２３  支持台
２４  装飾フレーム
２６  下半面紙
２８  上半面紙
３５  可動用操作片
【図１】
2006187888.tif 000003
【図２】
2006187888.tif 000004
【図３】
2006187888.tif 000005
【図４】
2006187888.tif 000006
【図５】
2006187888.tif 000007
【図６】
2006187888.tif 000008
【図７】
2006187888.tif 000009
【図８】
2006187888.tif 000010
【図９】
2006187888.tif 000011
【図１０】
2006187888.tif 000012
【図１１】
2006187888.tif 000013